【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
高圧モードと低圧モードとの間で選択的に動作可能である、土壌処理剤を施剤するための装置であって、
前記装置の前記高圧モードにおいて土壌中に高圧で土壌処理剤を注入するように動作可能な高圧施剤ツールと、
高圧施剤ツールとは別個のものであり且つ前記装置の前記低圧モードにおいて前記土壌に低圧で土壌処理剤を施剤するように動作可能な低圧施剤ツールであって、前記低圧が前記装置の前記高圧モードの前記高圧よりも実質的に低い、低圧施剤ツールと、
前記装置の前記高圧モードにおいて前記高圧施剤ツールと流体連通し且つ前記高圧モードにおいて前記高圧施剤ツールの動作のために前記高圧施剤ツールに加圧流体を送達するように動作可能なベースユニットと、を備えており、
前記ベースユニットが、前記装置の前記低圧モードにおいて前記低圧施剤ツールと流体連通し、且つ、前記低圧モードにおいて前記高圧モードにおけるよりも実質的に低い圧力で前記低圧施剤ツールに流体を送達するように動作可能であり、
前記高圧施剤ツール及び前記低圧施剤ツールのそれぞれが、前記ベースユニットに対して別々に位置決め可能であり、
前記高圧施剤ツールが動作しているときには前記低圧施剤ツールが動作不可能であり、前記低圧施剤ツールが動作しているときには前記高圧施剤ツールが動作不可能であるように、前記ベースユニット、高圧施剤ツール、及び低圧施剤ツールが相互に対して構成されている、装置。
【請求項２】
前記装置の前記高圧モードにおいて、前記高圧施剤ツールが、前記高圧施剤ツールと流体連通する前記ベースユニットに接続され、前記低圧施剤ツールが前記ベースユニットから分離され、
前記低圧モードにおいて、前記低圧施剤ツールが、前記低圧施剤ツールと流体連通する前記ベースユニットに接続され、前記高圧施剤ツールが前記ベースユニットから分離される、請求項1に記載の装置。
【請求項３】
前記ベースユニットが、前記ベースユニットから流体を送達するための導管を含み、
前記高圧モードにおいては、前記高圧施剤ツールが前記導管に接続される一方で、前記低圧施剤ツールが前記導管から分離され、
前記低圧モードにおいては、前記低圧施剤ツールが前記導管に接続される一方で、前記高圧施剤ツールが前記導管から分離される、請求項2に記載の装置。
【請求項４】
前記ベースユニットが、前記ベースユニットから流体を送達するために前記ベースユニットの動作を制御するための制御システムを備えており、
前記制御システムが、前記ベースユニットの動作を前記装置の前記高圧モードと前記装置の前記低圧モードとの間で選択的に切り替えるように構成されている、請求項1に記載の装置。
【請求項５】
前記ベースユニットが、搬送液体の供給源から搬送液体を送達するように動作可能な圧力ポンプと、前記装置の前記低圧モードにおいて前記ベースユニットから送達される流体を画定するために前記搬送液体と混合される活性成分を収容するためのタンクと、前記搬送液体と混合するために前記タンクから活性成分を送達するように動作可能な蠕動ポンプと、を備えており、
前記圧力ポンプが、前記装置の前記低圧モードにおいて前記搬送液体を或る流量で送達するように動作可能であり、
前記蠕動ポンプが、前記装置の前記低圧モードにおいて、前記搬送液体の流量に基づいた投与量で前記活性成分を送達するように動作可能である、請求項1に記載の装置。
【請求項６】
前記蠕動ポンプが、前記搬送液体の流量の変化に応答して調節可能な稼働率を有している、請求項5に記載の装置。
【請求項７】
作業現場において構造物に隣接した土壌を処理する方法であって、
前記構造物に隣接した前記作業現場の第1の領域に沿って高圧注入装置を移動させること、
前記高圧注入装置を作動させて、前記作業現場の前記第1の領域に沿って前記土壌中に土壌処理剤を注入すること、
前記構造物に隣接した前記作業現場の第2の領域に沿って低圧施剤ツールを移動させること、
前記低圧施剤ツールを作動させて、前記作業現場の前記第2の領域に沿って前記土壌に土壌処理剤を施剤すること、を含む方法。
【請求項８】
前記低圧施剤ツールが、それを通して前記低圧施剤ツールから土壌処理剤が送達される出口を有しており、
前記作業現場の前記第2の領域に沿って前記低圧施剤ツールを移動させる前記ステップが、注入のたびに前記ツールの前記出口が硬化した表面よりも下方に位置するように、前記第2の作業領域に沿って離間された位置において前記低圧施剤ツールの少なくとも一部分を断続的に地中に挿入することを含む、請求項7に記載の方法。
【請求項９】
前記低圧施剤ツールが、それを通して前記低圧施剤ツールから土壌処理剤が送達される出口を有しており、
前記作業現場の前記第2の領域に沿って低圧施剤ツールを移動させる前記ステップが、前記第2の作業領域において地面に穴及び溝のうちの少なくとも一つを掘削することと、前記低圧施剤ツールを作動させる前に前記ツールの前記出口が地表面よりも下方に位置するように、前記低圧施剤ツールの少なくとも一部分を前記穴及び溝のうちの少なくとも一つに挿入することとを含む、請求項7に記載の方法。
【請求項１０】
前記高圧注入装置を作動させて前記土壌中に土壌処理剤を注入する前記ステップが、前記高圧注入装置を作動させて前記第1の領域の第1の注入地点において前記土壌中に土壌処理剤を注入することと、前記高圧注入装置を前記第1の領域の第2の注入地点に移動させている間、前記高圧注入装置からの前記土壌処理剤の流れを止めることと、前記高圧注入装置を作動させて前記第1の領域の前記第2の注入地点において前記土壌中に土壌処理剤を注入することとを含む、請求項7に記載の方法。
【請求項１１】
前記作業現場の前記第1の領域を画定するために、前記作業現場のうちのどの領域が前記高圧注入装置を使用する処理に適しているかを判定することと、前記作業現場の前記第2の領域を画定するために、前記作業現場のうちのどの領域が前記高圧注入装置を使用する処理に適していないかを判定することとをさらに含み、
前記判定することが、前記作業現場の前記土壌のタイプ、及び前記作業現場の地表面のうちの一つ以上と相関している、請求項7に記載の方法。
【請求項１２】
前記作業現場の前記第1の領域に沿って前記高圧注入装置を移動させることの前に、前記高圧注入装置が流体送達デバイスに対して位置決め可能であるように、前記高圧注入装置と流体連通する前記流体送達デバイスに前記高圧注入装置を接続するステップをさらに含み、
前記高圧注入装置を作動させて前記土壌中に土壌処理剤を注入する前記ステップが、前記流体送達デバイスを作動させて前記高圧注入装置に高圧で流体を送達することを含み、
前記方法が、前記作業現場の前記第2の領域に沿って前記低圧施剤ツールを移動させることの前に、前記高圧注入装置を前記流体送達デバイスから分離することと、前記低圧施剤ツールが前記流体送達デバイスに対して位置決め可能であるように、前記低圧施剤ツールと流体連通する前記流体送達デバイスに前記低圧施剤ツールを接続することとをさらに含み、
前記低圧施剤ツールを作動させて土壌処理剤を施剤する前記ステップが、前記流体送達デバイスを作動させて、前記注入装置に送達される前記流体の前記高圧よりも実質的に低い圧力で前記低圧施剤ツールに流体を送達することを含む、請求項7に記載の方法。
【請求項１３】
前記流体送達デバイスから前記注入装置を分離する前に前記高圧注入装置から圧力を抜くことをさらに含む、請求項12に記載の方法。
【請求項１４】
前記高圧注入装置を作動させる前記ステップが、前記高圧注入装置を作動させて前記土壌の表面よりも深い注入深さまで前記土壌中に土壌処理剤を注入することを含み、
前記作業現場の第2の領域に沿って低圧施剤ツールを移動させる前記ステップが、前記作業現場の前記第1の領域に重なった第2の領域に沿って前記低圧施剤ツールを移動させることを含み、
前記低圧施剤ツールを作動させる前記ステップが、前記注入深さよりも深い前記土壌中に前記低圧施剤ツールを挿入することと、前記低圧施剤ツールを作動させて前記注入深さよりも深い前記土壌に土壌処理剤を施剤することとを含む、請求項7に記載の方法。